(57)【要約】【課題】多孔質部材が使用中に折れることを抑えることができる多孔質部材ホルダを提供すること。【解決手段】多孔質部材７を保持する多孔質部材ホルダ２は、多孔質部材７の少なくとも一部を収納し多孔質部材７が外側へ突出可能な開口部３３を有するケーシング３と、多孔質部材７を保持しケーシング３の内部を移動可能なホルダ部と、ケーシング７とホルダ部とを締結する締結部材５と、を備える。ホルダ部がケーシング３の内部を移動することで、開口部３３を通して外側へ突出する多孔質部材７の量Ｄ１が調整可能とされている。【選択図】図１
2018083642.tif 000002
【特許請求の範囲】
【請求項１】
多孔質部材を保持する多孔質部材ホルダであって、
前記多孔質部材の少なくとも一部を収納し前記多孔質部材が外側へ突出可能な開口部を有するケーシングと、
前記多孔質部材を保持し前記ケーシングの内部を移動可能なホルダ部と、
前記ケーシングと前記ホルダ部とを締結する締結部材と、
を備え、
前記ホルダ部が前記ケーシングの内部を移動することで前記開口部を通して前記外側へ突出する前記多孔質部材の量が調整可能とされたことを特徴とする多孔質部材ホルダ。
【請求項２】
前記ケーシングは、前記締結部材の一部が通過可能な孔を有し、
前記締結部材は、前記孔を通して前記ホルダ部に締め付けられることにより前記ケーシングと前記ホルダ部とを締結することを特徴とする請求項１に記載の多孔質部材ホルダ。
【請求項３】
前記ケーシングは、落下防止用コードおよび落下防止用ワイヤの少なくともいずれかが通ることが可能な引っ掛け孔を有することを特徴とする請求項１または２に記載の多孔質部材ホルダ。
【請求項４】
前記ホルダ部は、
前記多孔質部材の一部を収納する収納部と、
前記収納部の内部に設けられ前記収納部の内部に向かって突出した突起部と、
を有することを特徴とする請求項１〜３のいずれか１項に記載の多孔質部材ホルダ。
【請求項５】
前記ケーシングは、
第１ケーシング部材と、
前記第１ケーシング部材に着脱可能に設けられた第２ケーシング部材と、
を有することを特徴とする請求項１〜４のいずれか１項に記載の多孔質部材ホルダ。
【発明の詳細な説明】
【技術分野】
【０００１】
本発明は、軽石などの多孔質部材を保持可能な多孔質部材ホルダに関する。
【背景技術】
【０００２】
例えば、ビルの外壁などに付着した汚れを落とす際に使用される多孔質部材がある。このような多孔質部材は、研磨力を有する軽石、水やすり、および砂消しゴムなどであり、例えば陶器製のタイルなどの硬質部材の表面に付着した汚れを落とす際に使用される。研磨力を有する軽石などの多孔質部材は、一般的に水と併用されることが多く、水に濡れると柔らかくなる。そのため、多孔質部材は、そのまま使用されると使用中に折れることがある。そうすると、ビルの外壁などの清掃作業中に、多孔質部材の破片が落下するおそれがある。
【０００３】
特許文献１には、棒状工具を収容するための収納空間を構成する工具容器が開示されている。しかし、特許文献１に記載された工具容器は、工具を収容し保管する容器であり、多孔質部材などの作業用の道具を使用する際に用いられる容器ではない。そのため、特許文献１に記載された工具容器は、多孔質部材などの作業用の道具が使用中に折れることを抑えることはできない。
【先行技術文献】
【特許文献】
【０００４】
【特許文献１】特開２０１２−１２１０２号公報
【発明の概要】
【発明が解決しようとする課題】
【０００５】
本発明は、前記課題を解決するためになされたものであり、多孔質部材が使用中に折れることを抑えることができる多孔質部材ホルダを提供することを目的とする。
【課題を解決するための手段】
【０００６】
前記課題は、本発明によれば、多孔質部材を保持する多孔質部材ホルダであって、前記多孔質部材の少なくとも一部を収納し前記多孔質部材が外側へ突出可能な開口部を有するケーシングと、前記多孔質部材を保持し前記ケーシングの内部を移動可能なホルダ部と、前記ケーシングと前記ホルダ部とを締結する締結部材と、を備え、前記ホルダ部が前記ケーシングの内部を移動することで前記開口部を通して前記外側へ突出する前記多孔質部材の量が調整可能とされたことを特徴とする多孔質部材ホルダにより解決される。
【０００７】
前記構成によれば、ケーシングは、多孔質部材の少なくとも一部を収納し、多孔質部材が外側へ突出可能な開口部を有する。また、ホルダ部は、多孔質部材を保持し、ケーシングの内部を移動可能である。そのため、ホルダ部がケーシングの内部を移動すると、多孔質部材は、ホルダ部に保持された状態でケーシングの開口部からケーシングの外側に突出することができる。そして、ホルダ部がケーシングの内部を移動することで、ケーシングの開口部を通してケーシングの外側へ突出する多孔質部材の量が調整可能とされている。これにより、作業者が多孔質部材の突出量を適宜調整することで、多孔質部材が使用中に折れることが抑えられる。また、多孔質部材が折れることが抑えられるため、多孔質部材の破片が使用中に落下することが抑えられる。
【０００８】
また、ケーシングとホルダ部とを締結する締結部材が設けられている。これにより、作業者は、多孔質部材の突出量を適宜調整した状態で締結部材によりケーシングとホルダ部とを締結することで、多孔質部材の突出量を固定することができる。そのため、多孔質部材の突出量が安定し、多孔質部材が使用中に折れることがより確実に抑えられる。
【０００９】
好ましくは、前記ケーシングは、前記締結部材の一部が通過可能な孔を有し、前記締結部材は、前記孔を通して前記ホルダ部に締め付けられることにより前記ケーシングと前記ホルダ部とを締結することを特徴とする。
【００１０】
前記構成によれば、ケーシングは、前記締結部材の一部が通過可能な孔を有する。また、締結部材は、孔を通してホルダ部に締め付けられることにより、ケーシングとホルダ部とを締結する。そのため、比較的簡易的な構造により、ケーシングとホルダ部とが締結される。すなわち、比較的簡易的な構造により、多孔質部材の突出量を固定することが可能になる。
【００１１】
好ましくは、前記ケーシングは、落下防止用コードおよび落下防止用ワイヤの少なくともいずれかが通ることが可能な引っ掛け孔を有することを特徴とする。
【００１２】
前記構成によれば、作業者は、落下防止用コードおよび落下防止用ワイヤの少なくともいずれかの一方の端部をケーシングに設けられた引っ掛け孔に通し多孔質部材ホルダに装着することができる。また、作業者は、落下防止用コードおよび落下防止用ワイヤの少なくともいずれかの他方の端部を例えば作業者自身の腰に装着した腰袋あるいは工具ホルダに装着することができる。これにより、多孔質部材の破片だけではなく、多孔質部材を保持する多孔質部材ホルダが使用中に落下することが抑えられる。
【００１３】
好ましくは、前記ホルダ部は、前記多孔質部材の一部を収納する収納部と、前記収納部の内部に設けられ前記収納部の内部に向かって突出した突起部と、を有することを特徴とする。
【００１４】
前記構成によれば、ホルダ部は、多孔質部材の一部を収納する収納部を有するとともに、収納部の内部に向かって突出した突起部を有する。これにより、多孔質部材は、ホルダ部の収納部において突起部により確実に保持される。そのため、多孔質部材が使用中に落下することがより確実に抑えられる。
【００１５】
好ましくは、前記ケーシングは、第１ケーシング部材と、前記第１ケーシング部材に着脱可能に設けられた第２ケーシング部材と、を有することを特徴とする。
【００１６】
前記構成によれば、ケーシングは、互いに着脱可能とされた第１ケーシング部材および第２ケーシング部材を有する。そのため、作業者は、第２ケーシング部材を第１ケーシング部材から外すことにより、ホルダ部をケーシングから容易に取り出すことができる。一方で、作業者は、第２ケーシング部材を第１ケーシング部材に装着することにより、ホルダ部をケーシングの内部に容易に設置することができる。すなわち、ケーシングからの多孔質部材の取り出しや、ケーシングの内部への多孔質部材の設置が容易になる。
【発明の効果】
【００１７】
本発明によれば、多孔質部材が使用中に折れることを抑えることができる多孔質部材ホルダを提供することができる。
【図面の簡単な説明】
【００１８】
【図１】本発明の実施形態に係る多孔質部材ホルダを表す斜視図である。
【図２】本実施形態に係る多孔質部材ホルダを表す平面図である。
【図３】図２に表した切断面Ａ−Ａにおける断面図である。
【図４】本実施形態の変形例に係る多孔質部材ホルダを表す断面図である。
【発明を実施するための形態】
【００１９】
以下に、本発明の好ましい実施形態を、図面を参照して詳しく説明する。
なお、以下に説明する実施形態は、本発明の好適な具体例であるから、技術的に好ましい種々の限定が付されているが、本発明の範囲は、以下の説明において特に本発明を限定する旨の記載がない限り、これらの態様に限られるものではない。また、各図面中、同様の構成要素には同一の符号を付して詳細な説明は適宜省略する。
【００２０】
図１は、本発明の実施形態に係る多孔質部材ホルダを表す斜視図である。
図２は、本実施形態に係る多孔質部材ホルダを表す平面図である。
図３は、図２に表した切断面Ａ−Ａにおける断面図である。
【００２１】
本実施形態に係る多孔質部材ホルダ２は、多孔質部材７を保持する。多孔質部材ホルダ２が保持する多孔質部材７は、ビルの外壁などに付着した汚れを落とす際に使用される。このような多孔質部材７は、研磨力を有する軽石、水やすり、および砂消しゴムなどであり、例えば陶器製のタイルなどの硬質部材の表面に付着した汚れを落とす際に使用される。多孔質部材ホルダ２は、ケーシング３と、ホルダ部４と、締結部材５と、を備える。
【００２２】
ケーシング３は、第１ケーシング部材３１と、第２ケーシング部材３２と、を有する。第２ケーシング部材３２は、第１ケーシング部材３１に対して着脱可能に設けられている。第２ケーシング部材３２が第１ケーシング部材３１に装着された状態において、ケーシング３は、多孔質部材７の少なくとも一部を収納することができる。第１ケーシング部材３１および第２ケーシング部材３２のそれぞれの材料は、特には限定されず、例えば樹脂や金属などである。なお、第１ケーシング部材３１および第２ケーシング部材３２は、必ずしも別体として設けられていなくともよく、互いに一体として設けられていてもよい。
【００２３】
ケーシング３は、一方の端部に設けられた開口部３３を有する。図１に表したように、多孔質部材７は、ケーシング３に設けられた開口部３３を通してケーシング３の外側へ突出可能とされている。
【００２４】
図１および図２に表したように、第１ケーシング部材３１は、ケーシング３の長手方向に沿って延びた孔３１１を有する。図３に表したように、孔３１１は、第１ケーシング部材３１を貫通している。そのため、図３に表したように、締結部材５の一部は、孔３１１を通過することができる。なお、孔３１１は、ケーシング３の長手方向に沿って延びていることには限定されず、ケーシング３の長手方向に沿って並んで配置された複数の丸形状の孔を有していてもよい。
【００２５】
第２ケーシング部材３２は、開口部３３とは反対側の端部に設けられた引っ掛け孔３２１を有する。引っ掛け孔３２１には、落下防止用コード（図示せず）および落下防止用ワイヤ（図示せず）の少なくともいずれかが通ることが可能である。すなわち、多孔質部材ホルダ２の使用者は、落下防止用コードおよび落下防止用ワイヤの少なくともいずれかを引っ掛け孔３２１に通し多孔質部材ホルダ２に装着することができる。
【００２６】
図３に表したように、ホルダ部４は、多孔質部材７を保持することができる。具体的には、ホルダ部４は、収納部４１を有し、多孔質部材７の一部を収納部４１に収納することにより多孔質部材７を保持することができる。ホルダ部４の材料は、特には限定されず、例えば樹脂や金属などである。ホルダ部４の材料がゴムである場合には、ホルダ部４は、比較的高い保持力を有することができる。
【００２７】
図３に表した矢印Ａ１のように、ホルダ部４は、多孔質部材７を保持した状態でケーシング３の内部を移動することができる。ケーシング３の内部は、第１ケーシング部材３１と、第２ケーシング部材３２と、の間に形成された空間に相当する。
【００２８】
図３に表したように、締結部材５は、ケーシング３とホルダ部４とを締結する。具体的には、締結部材５は、第１ケーシング部材３１に設けられた孔３１１を通してホルダ部４に締め付けられることにより、ケーシング３とホルダ部４とを締結する。締結部材５としては、例えばネジやリベットなどが挙げられる。あるいは、締結部材５は、例えばバネなどを有し、ケーシング３とホルダ部４との嵌め合いを実現可能な構造を有していてもよい。
【００２９】
ここで、研磨力を有する多孔質部材７は、一般的に水と併用されることが多く、水に濡れると柔らかくなる。そのため、多孔質部材７は、そのまま使用されると使用中に折れることがある。そうすると、ビルの外壁などの清掃作業中に、多孔質部材７の破片が落下するおそれがある。
【００３０】
これに対して、本実施形態に係る多孔質部材ホルダ２によれば、ホルダ部４がケーシング３の内部を移動すると、多孔質部材７は、ホルダ部４に保持された状態でケーシング３の開口部３３からケーシング３の外側に突出することができる。そして、ホルダ部４がケーシング３の内部を移動することで、ケーシング３の開口部３３を通してケーシング３の外側へ突出する多孔質部材７の量（突出量）Ｄ１が調整可能とされている。これにより、作業者（多孔質部材ホルダ２の使用者）が多孔質部材７の突出量Ｄ１を適宜調整することで、多孔質部材７が使用中に折れることが抑えられる。また、多孔質部材７が折れることが抑えられるため、多孔質部材７の破片が使用中に落下することが抑えられる。
【００３１】
また、作業者は、多孔質部材７の突出量Ｄ１を適宜調整した状態で締結部材５によりケーシング３とホルダ部４とを締結することで、多孔質部材７の突出量Ｄ１を固定することができる。そのため、多孔質部材７の突出量Ｄ１が安定し、多孔質部材７が使用中に折れることがより確実に抑えられる。
【００３２】
また、締結部材５が第１ケーシング部材３１の孔３１１を通してホルダ部４に締め付けられるという比較的簡易的な構造により、ケーシング３とホルダ部４とが締結される。すなわち、比較的簡易的な構造により、多孔質部材７の突出量Ｄ１を固定することが可能になる。
【００３３】
また、作業者は、落下防止用コードおよび落下防止用ワイヤの少なくともいずれかの一方の端部を第２ケーシング部材３２に設けられた引っ掛け孔３２１に通し多孔質部材ホルダ２に装着することができる。また、作業者は、落下防止用コードおよび落下防止用ワイヤの少なくともいずれかの他方の端部を例えば作業者自身の腰に装着した腰袋あるいは工具ホルダに装着することができる。これにより、多孔質部材７の破片だけではなく、多孔質部材７を保持する多孔質部材ホルダ２が使用中に落下することが抑えられる。
【００３４】
さらに、前述したように、ケーシング３は、互いに着脱可能とされた第１ケーシング部材３１および第２ケーシング部材３２を有する。そのため、作業者は、第２ケーシング部材３２を第１ケーシング部材３１から外すことにより、ホルダ部４をケーシング３から容易に取り出すことができる。一方で、作業者は、第２ケーシング部材３２を第１ケーシング部材３１に装着することにより、ホルダ部４をケーシング３の内部に容易に設置することができる。すなわち、ケーシング３からの多孔質部材７の取り出しや、ケーシング３の内部への多孔質部材７の設置が容易になる。
【００３５】
図４は、本実施形態の変形例に係る多孔質部材ホルダを表す断面図である。
図４は、図２に表した切断面Ａ−Ａにおける断面図に相当する。
本変形例に係る多孔質部材ホルダ２Ａは、ケーシング３と、ホルダ部４Ａと、締結部材５と、を有する。ケーシング３および締結部材５は、図１〜図３に関して前述した通りである。
【００３６】
本変形例のホルダ部４Ａは、多孔質部材７の一部を収納する収納部４１を有するとともに、収納部４１の内部に向かって突出した突起部４２を有する。ホルダ部４Ａの材料は、特には限定されず、例えば樹脂や金属などである。その他の構造は、図１〜図３に関して前述したホルダ部４の構造と同様である。
【００３７】
本変形例によれば、多孔質部材７は、ホルダ部４Ａの収納部４１において突起部４２により確実に保持される。そのため、多孔質部材７が使用中に落下することがより確実に抑えられる。
【００３８】
以上、本発明の実施形態について説明した。しかし、本発明は、上記実施形態に限定されず、特許請求の範囲を逸脱しない範囲で種々の変更を行うことができる。上記実施形態の構成は、その一部を省略したり、上記とは異なるように任意に組み合わせたりすることができる。
【符号の説明】
【００３９】
２、２Ａ・・・多孔質部材ホルダ、  ３・・・ケーシング、  ４、４Ａ・・・ホルダ部、  ５・・・締結部材、  ７・・・多孔質部材、  ３１・・・第１ケーシング部材、  ３２・・・第２ケーシング部材、  ３３・・・開口部、  ４１・・・収納部、  ４２・・・突起部、  ３１１・・・孔、  ３２１・・・引っ掛け孔、  Ａ１・・・矢印、  Ｄ１・・・突出量
【図１】
2018083642.tif 000003
【図２】
2018083642.tif 000004
【図３】
2018083642.tif 000005
【図４】
2018083642.tif 000006